(57)【要約】  【課題】  滞在者がいなくなると消灯し、滞在者が一人でも居るときには点灯するように制御する照明スイッチの提供。  【解決手段】  着座検知手段２１が着座を検知した信号を入力すると着座状態信号を、離席状態を検知した信号を入力すると離席状態信号を、送信する送信部２２を備える着座検出ユニット２と、  各着座検出ユニット２１から送信される着座状態信号および離席状態信号を受信可能な信号受信手段３１と電気的に接続され、信号受信手段３１が受信した受信信号から着座者の有無を判断可能であり着座者があると判断した場合には電源を供給可能な制御手段３２を備える電源制御ユニット３とからなる。  そして、電源制御ユニット２は、管理する着座検出ユニット２を複数のグループに分け、各グループ毎に着座状態を検出し各グループの所属する照明器具毎に電源供給の管理を行う。【選択図】  図２
2010192187.tif 000002
【特許請求の範囲】
【請求項１】
座席に設置され、着座の有無を検知可能な着座検知手段を備え、着座検知手段と電気的に接続され、着座検知手段が着座を検知した信号を入力すると着座状態信号を送信し、着座検知手段が離席状態を検知した信号を入力すると離席状態信号を送信する送信手段を備える着座検出ユニットと、
照明装置と照明電源との間に電気的に接続して設けられ、複数の着座検出ユニットと通信可能であり、各着座検出ユニットから送信される着座状態信号および離席状態信号を受信可能な信号受信手段を備え、信号受信手段と電気的に接続され信号受信手段が受信した受信信号から着座者の有無を判断可能であり着座者があると判断した場合には照明電源を照明器具へ供給可能な制御手段を備える電源制御ユニットとからなることを特徴とする照明スイッチ。
【請求項２】
前記着座検出ユニットは、着座状態あるいは離席状態を検出して送信手段が着座状態信号および離席状態信号を送信する際に自身を特定可能な信号として送信可能であり、
前記制御手段は、入力する信号受信手段が受信した受信信号から着座検出ユニット毎に着座者の有無を判断可能である請求項１に記載の照明スイッチ。
【請求項３】
前記電源制御ユニットは、管理する着座検出ユニットを複数のグループに分けて管理可能であり、各グループ毎に着座状態を検出し各グループの所属する照明器具毎に電源供給の管理を行う請求項２に記載の照明スイッチ。
【発明の詳細な説明】
【技術分野】
【０００１】
この発明は、事務所等における照明の点灯・消灯の切換を自動的に行わせるための照明スイッチにかかり、詳細には、複数人数の事務所滞在者が誰もいなくなったときにのみ自動的に消灯し、事務所滞在者が一人でも居るときには照明を点灯しておくための照明スイッチに関する。
【背景技術】
【０００２】
事務所等、複数の人数がいる場合には、一人でも事務所に存在していれば照明を点灯しておく必要が有る。
一方、事務所が無人になるときに消灯するには、最後の退出者が消灯作業を行っていた。
【発明の概要】
【発明が解決しようとする課題】
【０００３】
しかしながら、事務所等では、最後の退出者が必ずしも自分が最後であるかどうかを確認して退出とは限らず、消灯し忘れることで無人の事務所であるにも拘らず照明が点灯しっぱなしになってしまうと言う問題点を有した。
【０００４】
そこでこの発明は、上記問題点に鑑み、事務所等の複数人数によって使用されている部屋の照明スイッチを、滞在者がいなくなると消灯し、滞在者が一人でも居るときには点灯するように制御可能な照明スイッチを提供する。
【課題を解決するための手段】
【０００５】
この発明は上記問題点を解決し、滞在者の有無を自動的に判別して照明装置の点灯を制御可能なスイッチとするために、
【０００６】
座席に設置され、着座の有無を検知可能な着座検知手段を備え、着座検知手段と電気的に接続され、着座検知手段が着座を検知した信号を入力すると着座状態信号を送信し、着座検知手段が離席状態を検知した信号を入力すると離席状態信号を送信する送信手段を備える着座検出ユニットと、
照明装置と照明電源との間に電気的に接続して設けられ、複数の着座検出ユニットと通信可能であり、各着座検出ユニットから送信される着座状態信号および離席状態信号を受信可能な信号受信手段を備え、信号受信手段と電気的に接続され信号受信手段が受信した受信信号から着座者の有無を判断可能であり着座者があると判断した場合には照明電源を照明器具へ供給可能な制御手段を備える電源制御ユニットとからなることを特徴とする照明スイッチ、
【０００７】
を提供する。この照明スイッチでは、着座検出ユニットを座布団状に形成して着座するため、椅子の上に備える。着座検出ユニットに事務所員等が着座すると、着座検出ユニットの着座検出手段が、着座状態を検出する。着座検出手段には、例えば圧力スイッチを座布団マットの中に仕掛けるとか、小型のプッシュスイッチを座布団マットの中に備える等して、着座の有無を検出可能にする。また、着座検出手段は、着座者が立つと離席状態であることを検知する。
着座検出手段は、着座状態あるいは離席状態を検出すると、着座状態信号あるいは離席状態信号を出力するように送信手段へ指示する。
【０００８】
送信手段は、着座検知手段から受けた指示に基づき着座状態信号あるいは離席状態信号を出力する。
【０００９】
すると、電源制御ユニットが送信手段の出力した信号を受信する。
電源制御ユニットでは、信号受信手段が各着座検出ユニットから送信された着座状態信号あるいは離席状態信号を受信する。
電源制御ユニットでは、信号受信手段が受信した信号を制御手段へ出力する。制御手段では、信号受信手段から受信した信号を解析し、各着座検出ユニットが着座状態であるか離席状態であるかを検知する。そして、検知した状態に基づき、全ての着座検出ユニットが離席状態となった時には着座者がいないと判断し照明電源の照明装置への供給を行わず、一人でも着座者がある場合には、照明装置への照明電源の供給を行う。勿論、着座検出ユニットが１つの場合には、１つの着座検出ユニットの状態のみを見ることとなる。
【００１０】
また、着座検出ユニットが各着座検出ユニット毎に自身を特定可能な信号を送信可能な場合には、信号受信手段が受信した信号を制御手段へ出力する。制御手段では、信号受信手段から受信した信号を解析し、信号を送信した着座検出ユニットを特定すると共に該着座検出ユニットが着座状態であるか離席状態であるかを検知する。そして、検知した状態に基づき、全ての着座検出ユニットが離席状態となった時には着座者がいないと判断し照明電源の照明装置への供給を行わず、一人でも着座者がある場合には、照明装置への照明電源の供給を行う。
【００１１】
更には、電源制御ユニットは、各着座検出ユニットが自身を特定可能な信号を送信可能な場合には、着座検出ユニットを複数のグループに分け、グループ毎にそのグループに所属する着座検出ユニットの状態を制御手段が判断し、各グループ毎に照明電源の入り切りの制御を行うようにもできる。
【発明の効果】
【００１２】
従って、この発明によれば、着座検出ユニットを例えば椅子の上に敷設しておけば、着座検出ユニットを敷設した椅子に事務員が着座しているか否か、即ち、事務所に事務員が存在しているか否かを電源制御ユニットが判断して照明電源の供給を制御可能となるので、事務員の存在状況によって自動的に照明器具の電源管理が行え、消し忘れ等による無駄な電気の使用を避けることが可能となる。
これにより省エネ効果を得られると共に、照明電源の管理をする時間が節約でき省人効果が得られる。
【００１３】
更にまた、事務所内の照明装置をグループ化して管理する場合には、複数の着座検出ユニットをグループ化して各グループに所属する着座検出ユニット毎に照明電源の管理を行えるので、グループに人員が存在しないところの照明装置を消灯できるので、更に効率的に電源管理が行え無駄な電気の消費を抑えることが可能となると言う効果を有する。
【図面の簡単な説明】
【００１４】
【図１】この発明にかかる実施例の構成を表す説明図
【図２】この発明の実施例を表すブロック図
【図３】この発明の他の実施例を表すブロック図
【実施例１】
【００１５】
以下にこの発明の実施例を図面に基づき説明する。図１はこの発明にかかる実施例の構成を表す説明図であり、図２はこの発明の実施例を表すブロック図であり、図３はこの発明の他の実施例を表すブロック図である。
【００１６】
１はこの発明の実施例である照明スイッチである。照明スイッチ１は、図１に表すように、事務所等で事務員の着座の有無を検知するための着座検出ユニット２と、照明装置の電源を制御可能に照明装置と照明電源との間に設置されて着座検出ユニット２の状態によって照明装置の電源供給を制御する電源制御ユニット３とからなる。
【００１７】
着座検出ユニット２は、着座状態を検出したい事務員等の椅子の座部に設置可能なマット状からなり、内部には、図２に表すように、着座検知手段である圧力スイッチ２１と送信手段である信号出力部２２を備える。なお、着座検出ユニット２を作動させるための電源は図示していないが、電池で行っても良くあるいは１００［Ｖ］等の一般的な交流電源を整流および降圧する電源部（図示せず）を設けてもよく、適宜手段を用いればよい。
【００１８】
そして着座検出ユニット２は、圧力スイッチ２１と信号出力部２２とが電気的に接続され、圧力スイッチ２１によって着座の有無を検知し、検知した状態を信号出力部２２から無線信号として出力する。
圧力スイッチ２１は、事務員等の着座圧を検知可能であり、着座状態が着座と離席との状態を検知する。詳細には、着座時にＯＮ状態を取り接続される信号出力部２２との間で導通状態となる。この導通状態が着座状態を表している。また、着座状態から離席状態となると、圧力スイッチ２１はＯＦＦ状態となり、接続される信号出力部２２との間で断絶状態となって離席状態を表す。
【００１９】
信号出力部２２は、電気的に接続される圧力スイッチ２１の状態を検知可能であり、圧力スイッチ２１がＯＮ状態では着座状態なので、予め設定される着座状態信号を出力し、圧力スイッチ２１がＯＦＦ状態では離席状態なので、予め定める離席状態信号を出力する。この信号出力部２２では、実質的に信号を送信する手段は従来同様であり、アナログ信号あるいはデジタル信号として搬送波に着座状態を表す情報あるいは離席状態を表す情報を重畳し電磁波として出力可能である。そして信号出力部２２から出力する電磁波である信号は、着座状態を通知する信号が着座状態信号であり、離席状態を通知する信号が離席状態信号である。
また、信号出力部２２は、自身の着座検出ユニット２を特定するユニット情報を着座状態あるいは離席状態を表す情報と共に出力可能である。このユニット情報は、搬送波の周波数を各着座検出ユニット２毎に変更し、電源制御ユニット３がその搬送波の周波数から着座検出ユニット２を特定するようにしても良く、着座状態あるいは離席状態の情報と共に搬送波に重畳しても良く、従来からある方法から所望の方法を適宜選択すれば足りる。そして当然の如く、信号出力部２２は発信部（図示せず）を備えており該発信部（図示せず）から着座状態信号および離席状態信号を出力する。
このように、着座検出ユニット２では、自身を特定すると共に着座状態を特定可能な信号を出力可能であり、この信号が電源制御ユニット３によって受信される。
【００２０】
この実施例では、複数の着座検出ユニット２をグループＧ１からグループＧｎに所属させた例を説明する。即ち、グループＧ１には複数の着座検出ユニット２が所属し、グループＧ１に所属する着座検出ユニット２は、例えば、事務室において一つの纏まった領域となる島を形成している場合である。同様に、グループＧ１以外のグループＧｎもグループＧ１同様に、それぞれ複数の着座検出ユニット２が所属している。このように、グループＧ１乃至グループＧｎに着座検出ユニット２を所属させることで、事務室内に形成されるグループＧ１乃至Ｇｎの島毎に、該グループＧ１乃至Ｇｎを照らしている照明装置Ｌの電源制御をすることを目的としている。
【００２１】
電源制御ユニット３は、着座検出ユニット２が出力する着座状態信号および離席状態信号と受信可能であり、受信した各着座検出ユニット２の状態によって照明装置への照明電源の供給を制御可能である。電源制御ユニット３は、信号受信手段である信号受信部３１を備える。また、電源制御ユニット３は、信号受信部３１と電気的に接続されると共に照明装置Ｌと照明電源（図示せず）との間で照明電源（図示せず）を照明装置Ｌへ供給するか否かを切換可能に接続される。
即ち、電源制御ユニット３は、図２に表すように、各着座検出ユニット２から送信された着座状態信号および離席状態信号を受信可能な信号受信手段３１を備え、信号受信手段３１と電気的に接続される制御手段３２を備える。
【００２２】
信号受信手段３１は、各着座検出ユニット２から着座状態信号および離席状態信号を受信し、受信した信号を復調して着座状態であるか離席状態であるかを制御手段３２へ出力可能である。また復調時には、受信した信号あるいは搬送波からユニット情報を取得し、どの着座検出ユニット２から送信されたものであるかを判別して着座検出ユニット２を特定可能であり、着座状態であるか離席状態であるかを特定した着座検出ユニット２の情報と紐付けて制御手段３２へ出力可能である。
【００２３】
制御手段３２は、受信手段３１から着座状態であるか離席状態であるかを着座検出ユニット２に紐付けて受領可能であり、受信した情報に基づいて各着座検出ユニット２毎の着座あるいは離席の状態を記憶可能である。この記憶は特に説明しないが、コンピュータ手段のようにプログラムを組みメモリーやハードディスク等の手段に記憶するようにしても良く、単に受動素子の組み合わせによってあたかも記憶しているように制御してもよい（所謂シーケンス制御）。
他方、制御手段３２は、照明装置Ｌに照明電源（図示せず）から電力を供給する電力線ＰＬと照明装置Ｌとの間に設ける。即ち、電力線ＰＬから供給される電力を照明装置Ｌへ供給するか否かを切換可能に接続される。
【００２４】
以下に、制御手段３２の詳細を説明する。制御手段３２は、図２に表すように、信号受信手段３１から受信信号を受領して、各着座検出ユニット２の状態を識別し、状態によって電力の供給を行うか否かを判断して指示する制御判断手段３２ａと、制御判断手段と電気的に接続され、制御判断手段３２ａの指示により、照明装置Ｌへの電力供給を行うか否かを切替る電力供給手段３２ｂとからなる。
【００２５】
制御判断手段３２ａは、各グループＧ１乃至Ｇｎに所属する複数の着座検出ユニット２が着座状態であるか離席状態であるかを記憶判断可能であり、図示しないが必要な制御部および記憶部等を備えている。そして、制御判断手段３２ａは、各グループＧ１乃至Ｇｎ毎に所属する着座検出ユニット２の状態を記憶および判断するグループ制御部ａＧ１乃至ａＧｎを備える。
以下にグループ制御部ａＧ１乃至ａＧｎを説明するが、グループ制御部ａＧ１を例に説明し、グループ制御部ａＧ１以外のグループ制御部ａＧｎまでは、制御するグループが異なるだけであり、同様の作用をするものである。
【００２６】
グループ制御部ａＧ１は、信号受信手段３１が受信した信号のうち、グループ制御部ａＧ１に所属する着座検出ユニット２の着座状態信号あるいは離席状態信号を受領する。受領する信号が所属する着座検出ユニット２のものであるか否かは、信号受信手段３１が受信した信号に含まれるユニット情報を、制御判断手段３２ａに備える判断手段（図示せず）が判断して、それぞれ所属するグループ制御部ａＧ１乃至ａＧｎへ記憶させるようにしても良く、それぞれのグループ制御部ａＧ１乃至ａＧｎが自身に含まれる着座検出ユニット２のユニット情報であるか否かを判断し自身に含まれる着座検出ユニット２の場合にはその着座検出ユニット２の着座状態信号あるいは離席状態信号を受領して着座状態であるか離席状態であるかを記憶しても良く、更には、信号受信手段３１がどのグループ制御部ａＧ１乃至ａＧｎに属する着座検出ユニット２であるかを判断して所属するグループ制御部ａＧ１乃至ａＧｎへのみ信号出力するようにしても良く、適宜方法を用いれば足りる。
【００２７】
従って、グループ制御部ａＧ１では、自身に属する着座検出ユニット２からの情報を解析し、信号に含まれる情報が着座状態信号であるか離席状態信号であるかを判断し、それぞれの状態、即ち、着座状態か離席状態かを着座検出ユニット２に紐付けて記憶する。
また、グループ制御部ａＧ１は、着座状態あるいは離席状態の情報を受領し記憶する毎に、所属する全ての着座検出ユニット２が離席状態となったか否かを監視可能であり、所属する着座検出ユニット２の全てが離席状態となった場合には、電源ＯＦＦのＯＦＦ指示信号を電力供給手段３２ｂへ出力し、所属する着座検出ユニット２の一つでも着座状態である時には、電力供給手段３２ｂへ電源ＯＮのＯＮ指示信号を出力する。
【００２８】
このように、グループ制御部ａＧ１は、自身が管理する着座検出ユニット２の全てが離席状態の時にのみ自身の所属する照明装置Ｌの電源をＯＦＦにするように指示可能である。そして、グループ制御部ａＧ１以外のグループ制御部ａＧ２乃至ａＧｎでも、同様の操作を行う。
【００２９】
電力供給手段３２ｂは、一方から電力線ＰＬが接続されて電力の供給が可能なように形成され、接続された電力線ＰＬを各グループＧ１乃至Ｇｎに所属する照明装置Ｌ毎に供給可能にグループ供給線ＬＧ１乃至ＬＧｎが出力線として接続される。また、電力供給手段３２ｂは、グループ制御部ａＧ１乃至ａＧｎと接続され、ＯＮ指示信号あるいはＯＦＦ指示信号を受領可能である。
そして、電力供給手段３２ｂは、受領したＯＮ指示信号あるいはＯＦＦ指示信号に基づいて、その受領した信号のグループＧ１乃至Ｇｎに属する照明装置Ｌへのグループ供給線ＬＧ１乃至ＬＧｎを電力線ＰＬと断絶あるいは接続させる電力継電手段（図示せず）を備えている。
従って、電力供給手段３２ｂは、各グループＧ１乃至Ｇｎ毎に、そのグループＧ１乃至Ｇｎに所属する照明装置Ｌを、そのグループＧ１乃至Ｇｎに所属する着座検出ユニット２の着座状態あるいは離席状態によって点灯あるいは消灯することが可能となる。
【００３０】
なお、ＯＮ指示信号およびＯＦＦ指示信号は、その信号に属するグループＧ１乃至Ｇｎを特定する情報を含ませておき電力供給手段３２ｂが所属グループＧ１乃至Ｇｎを判断するか、あるいは、電力供給手段３２ｂの備える電力継電手段とそれぞれのグループＧ１乃至Ｇｎが一対一で電気的に接続されているかすれば、所属グループＧ１乃至Ｇｎ毎に照明装置Ｌの点灯あるいは消灯が可能となるので、適宜選択すればよい。
【００３１】
上記のように構成した照明スイッチ１では、例えばグループＧ１に所属する全ての着座検出ユニット２が離席状態になると、これらの着座検出ユニット２からは離席状態信号が出力されている。
【００３２】
即ち、着座検出ユニット２から離席状態信号が発信されると、電源制御ユニット３では、信号受信手段３１が該信号を受信する。すると、信号受信手段３１では、その信号を復調し、離席状態である旨を制御手段３２へ出力する。例えば、この信号がグループＧ１に属する着座検出ユニット２の場合には、制御判断手段３２ａのグループ制御部ａＧ１によって受領され、グループ制御部ａＧ１が受信した着座検出ユニット２を離席状態であると記憶する。
同様に他のグループＧ１に所属する全ての着座検出ユニット２から離席状態を受領して同様に離席状態であると記憶されると、所属する全ての着座検出ユニット２が離席状態であるか否かを判断する。そして、所属する全ての着座検出ユニット２が離席状態となった場合には、電力供給手段３２ｂへＯＦＦ指示信号を出力する。また、全ての着座検出ユニット２が離席状態でない場合には、ＯＮ指示信号を出力する。
【００３３】
電力供給手段３２ｂは、グループ制御部ａＧ１からＯＮ指示信号を受領すると、グループ制御部ａＧ１に属する照明装置Ｌへのグループ供給線ＬＧ１をＯＮ状態とする。また、グループ制御部ａＧ１からＯＦＦ指示信号を受領すると、グループ制御部ａＧ１に属する照明装置Ｌへのグループ供給線ＬＧ１をＯＦＦ状態とさせる。
【００３４】
図２に表す実施例は、複数のグループＧ１乃至Ｇｎそれぞれに所属する着座検出ユニット２によって該グループＧ１乃至Ｇｎを照らす照明への電源管理を、１つの電源制御ユニット３によって制御するように構成したが、図３には、１つのグループＧ１に対して１つの電源制御ユニット３を備え、個別に照明スイッチ１を構成した例を示す。
即ち、図３に表すように、グループＧ１に所属する着座検出ユニット２に対し、電源制御ユニット３を対応させて設ける。このように全てのグループＧ１乃至Ｇｎのそれぞれに所属する着座検出ユニット２に対して、電源制御ユニット３を備え、電源制御ユニット毎にグループ制御部ａＧ１乃至グループ制御部ａＧｎを設ける。
このようにグループＧ１乃至Ｇｎ毎に、１対１となるように電源制御ユニット３を設けるようにしても良い。この場合には、着座検出ユニット２が送信する信号の周波数をグループＧ１乃至Ｇｎ毎に異ならせ、これに対応する電源制御ユニット３も、信号受信手段３１（勿論制御手段３２でも良い）が自身に所属する着座検出ユニット２の出力する周波数を受信可能にしておいてもよい。
【産業上の利用可能性】
【００３５】
事務所など、複数人が所属する場所の照明装置の電源管理に利用可能である。
【符号の説明】
【００３６】
Ｇ１乃至Ｇｎ  グループ
１  照明スイッチ
２  着座検出ユニット
２１  圧力スイッチ（着座検知手段）
２２  信号出力部（送信手段）
３  電源制御ユニット
３１  信号受信手段
３２  制御手段
３２ａ  制御判断手段
ａＧ１乃至ａＧｎ  グループ制御部
３２ｂ  電力供給手段
【図１】
2010192187.tif 000003
【図２】
2010192187.tif 000004
【図３】
2010192187.tif 000005